(57)【要約】【課題】非磁性金属によりソケットから主軸への磁力の伝達を防止するとともに、嵌合部と主軸との隙間をなくし、非磁性金属からなる嵌合部の摩耗や変形を防止するようにしたソケット継ぎ手を提供すること。【解決手段】ボルト又はナットに嵌着されるソケットＢと、トルクレンチＣの主軸Ｃ１との間に介設され、主軸Ｃ１のトルクをソケットＢに伝達するソケット継ぎ手Ａにおいて、ソケットＢに嵌着される鋼製の差込角１と、先端部に差込角１が固設されるとともに主軸Ｃ１が嵌着される嵌合部２１を基部に備えた非磁性金属の内筒２と、内筒２を基部側から挿入するとともに内筒２と螺合する非磁性金属の外筒３とを備え、内筒２の基部に軸方向のスリット２２とテーパ２３を設けるとともに、外筒３の基部に内筒２のテーパ２３と摺接するテーパ３１を設ける。【選択図】図１
2009285803.tif 000002
【特許請求の範囲】
【請求項１】
ボルト又はナットに嵌着されるソケットと、トルクレンチ等の主軸との間に介設され、主軸のトルクをソケットに伝達するソケット継ぎ手において、ソケットに嵌着される鋼製の差込角と、該差込角が先端部に固設されるとともに主軸が嵌着される嵌合部を基部に備えた非磁性金属の内筒と、内筒を基部側から挿入するとともに該内筒と螺合する非磁性金属の外筒とを備え、内筒の基部に略軸方向のスリットとテーパを設けるとともに、外筒の基部に内筒のテーパと摺接するテーパを設けたことを特徴とするソケット継ぎ手。
【請求項２】
内筒及び外筒をチタン又はチタン合金で構成したことを特徴とする請求項１記載のソケット継ぎ手。
【請求項３】
内筒と外筒の螺合を固定するロックナットを設けたことを特徴とする請求項１又は２記載のソケット継ぎ手。
【発明の詳細な説明】
【技術分野】
【０００１】
本発明は、ソケットとトルクレンチ等の主軸との間に介設されるソケット継ぎ手に関し、特に、非磁性金属によりソケットから主軸への磁力の伝達を防止するとともに、嵌合部と主軸との隙間をなくし、非磁性金属からなる嵌合部の摩耗や変形を防止するようにしたソケット継ぎ手に関するものである。
【背景技術】
【０００２】
従来、ボルト・ナットの締め付けや取り外しを行うために、エアーモータや電気モータによって駆動される各種トルクレンチが汎用されている。
この種のボルト・ナットの操作ツールにおいては、主軸の先端部にソケットを装着することにより、大きさや形状の異なる各種のボルト・ナットに対応できるようにしている。
【０００３】
ところで、ボルト・ナットの締め付け作業において、ソケットにボルトを入れ、その状態で締め付けを行うことが多々あり、その際には、ボルトの脱落を防ぐためにマグネットをソケット内に組み込んで使用することが多くなっている。
【０００４】
このようなマグネット付きのソケットは、磁力の分散をなくしボルトの保持力を高めるために、ボルトとの接触面以外は非磁性体で遮蔽することが望まれるが、構造が複雑になりソケットの単価も上がってしまうため、例えば、標準ソケットの外周にリング状のマグネットを取り付けるなど、単純にマグネットだけをソケットに組み込んだものがほとんどである。
【０００５】
しかしながら、電子制御式のパルスツールなどでは、磁歪式トルクセンサーが搭載される場合があり、この磁歪式トルクセンサーでは主軸がセンサー軸となっているため、ソケットから主軸に強力な磁力が伝わると、トルクセンサー自体の出力が変動し、コントロール精度に影響がでたり誤動作の原因となる。
【０００６】
このような問題に対処するために、主軸とソケットの間に非磁性体の継ぎ手を設けて両者を分離することが考えられるが、非磁性金属は鋼に比べて強度が低く、特に衝撃締め付けの場合は、ソケット継ぎ手と主軸の間の隙間（遊び）やがたつきにより、短時間に摩耗や変形が生じて使用できなくなるという問題が発生する。
【発明の開示】
【発明が解決しようとする課題】
【０００７】
本発明は、上記従来のソケット継ぎ手が有する問題点に鑑み、非磁性金属によりソケットから主軸への磁力の伝達を防止するとともに、嵌合部と主軸との隙間をなくし、非磁性金属からなる嵌合部の摩耗や変形を防止するようにしたソケット継ぎ手を提供することを目的とする。
【課題を解決するための手段】
【０００８】
上記目的を達成するため、本発明のソケット継ぎ手は、ボルト又はナットに嵌着されるソケットと、トルクレンチ等の主軸との間に介設され、主軸のトルクをソケットに伝達するソケット継ぎ手において、ソケットに嵌着される鋼製の差込角と、先端部に差込角が固設されるとともに主軸が嵌着される嵌合部を基部に備えた非磁性金属の内筒と、内筒を基部側から挿入するとともに該内筒と螺合する非磁性金属の外筒とを備え、内筒の基部に略軸方向のスリットとテーパを設けるとともに、外筒の基部に内筒のテーパと摺接するテーパを設けたことを特徴とする。
【０００９】
この場合において、内筒及び外筒をチタン又はチタン合金で構成することができる。
【００１０】
また、内筒と外筒の螺合を固定する鋼製のロックナットを設けることができる。
【発明の効果】
【００１１】
本発明のソケット継ぎ手によれば、ボルト又はナットに嵌着されるソケットと、トルクレンチ等の主軸との間に介設され、主軸のトルクをソケットに伝達するソケット継ぎ手において、ソケットに嵌着される鋼製の差込角と、先端部に差込角が固設されるとともに主軸が嵌着される嵌合部を基部に備えた非磁性金属の内筒と、内筒を基部側から挿入するとともに該内筒と螺合する非磁性金属の外筒とを備え、内筒の基部に略軸方向のスリットとテーパを設けるとともに、外筒の基部に内筒のテーパと摺接するテーパを設けることから、内筒と外筒の非磁性金属により主軸への磁力の伝達を防止するとともに、内筒と外筒を螺合して嵌合部をテーパの摺接で締め付けることにより、嵌着した主軸との隙間をなくして、非磁性金属からなる嵌合部の摩耗や変形を防止することができる。
【００１２】
また、内筒及び外筒をチタン又はチタン合金で構成することにより、内筒及び外筒を良好な絶縁性と強度をもって軽量化することができる。
【００１３】
また、内筒と外筒の螺合を固定する鋼製のロックナットを設けることにより、螺合した内筒と外筒を確実に固定することができる。
【発明を実施するための最良の形態】
【００１４】
以下、本発明のソケット継ぎ手の実施の形態を、図面に基づいて説明する。
【実施例１】
【００１５】
図１〜図２に、本発明のソケット継ぎ手の一実施例を示す。
【００１６】
このソケット継ぎ手Ａは、ボルト又はナットに嵌着されるソケットＢと、トルクレンチＣの主軸Ｃ１との間に介設され、主軸Ｃ１のトルクをソケットＢに伝達する。
そして、このソケット継ぎ手Ａは、ソケットＢに嵌着される鋼製の差込角１と、先端部に差込角１が固設されるとともに主軸Ｃ１が嵌着される嵌合部２１を基部に備えた非磁性金属の内筒２と、内筒２を基部側から挿入するとともに該内筒２と螺合する非磁性金属の外筒３とを備え、内筒２の基部に軸方向のスリット２２とテーパ２３を設けるとともに、外筒３の基部に内筒２のテーパ２３と摺接するテーパ３１を設けている。
【００１７】
ソケットＢは、ボルトやナットが嵌合する六角のソケット凹部Ｂ１を先端部に備え、基部に、主軸Ｃ１やソケット継ぎ手Ａの差込角１が嵌合するソケット嵌合部Ｂ２を備えている。
また、このソケットＢには、ボルトの締め付け作業において、ソケット凹部Ｂ１に入れたボルトの脱落を防ぐために、マグネットＢ３がソケット凹部Ｂ１の奥に組み込まれている。
【００１８】
トルクレンチＣは、本実施例では、エアーモータＣ２で主軸Ｃ１を回転させるインパクトレンチであり、打撃力によってボルトやナットの衝撃締め付けを行うことができる。
また、このトルクレンチＣは、磁歪特性を有する金属で主軸Ｃ１の一部を構成し、主軸Ｃ１に加わるトルクを検出コイルのインダクタンス変化に基づいて検出する磁歪式トルクセンサーＣ３を備えている。
【００１９】
一方、ソケット継ぎ手Ａの差込角１は鋼材からなり、先端の四角の角柱部１１がソケットＢのソケット嵌合部Ｂ２に着脱可能に嵌着される。
また、差込角１の基部は、内筒２に圧入して一体化されており、ソケットＢを回転させる上での剛性を確保している。
【００２０】
内筒２は、チタン又はチタン合金からなり、先端部に差込角１が固設されるとともに、主軸Ｃ１が嵌着される嵌合部２１を基部に備えている。
内筒２の先端側の外周面には、外筒３の雌ねじ３２と螺合する雄ねじ２４が形成されている。
また、内筒２の基部には、嵌合部２１まで達する複数本（本実施例では嵌合部２１の対角線位置に２本）の軸方向のスリット２２が形成されるとともに、基部の外周面には端部側が漸次細径となるテーパ２３が付されている。
これにより、内筒２を外筒３に螺合して締め付けると、内筒２と外筒３のテーパ３１が摺接することにより、内筒２の基部を内側に押圧し、嵌合部２１を遊びのある状態からない状態に締め付けることができる。
【００２１】
外筒３は、チタン又はチタン合金からなり、内筒２がその基部側から挿入される。
外筒３の先端側の内周面には、内筒２の雄ねじ２４と螺合する雌ねじ３２が形成されている。
また、外筒３の基部の内周面には、端部側が漸次細径となり、内筒２のテーパ２３と摺接するテーパ３１が付されている。
なお、外筒３の先端側には、内筒２の雄ねじ２４に螺合することにより、内筒２と外筒３の螺合を固定する鋼製のロックナット４が設けられている。
【００２２】
かくして、本実施例のソケット継ぎ手Ａは、ボルト又はナットに嵌着されるソケットＢと、トルクレンチＣの主軸Ｃ１との間に介設され、主軸Ｃ１のトルクをソケットＢに伝達するソケット継ぎ手において、ソケットＢに嵌着される鋼製の差込角１と、先端部に差込角１が固設されるとともに主軸Ｃ１が嵌着される嵌合部２１を基部に備えた非磁性金属の内筒２と、内筒２を基部側から挿入するとともに該内筒２と螺合する非磁性金属の外筒３とを備え、内筒２の基部に軸方向のスリット２２とテーパ２３を設けるとともに、外筒３の基部に内筒２のテーパ２３と摺接するテーパ３１を設けることから、内筒２と外筒３の非磁性金属により主軸Ｃ１への磁力の伝達を防止するとともに、内筒２と外筒３を螺合して嵌合部２１をテーパ２３、３１の摺接で締め付けることにより、嵌着した主軸Ｃ１との隙間をなくして、非磁性金属からなる嵌合部２１の摩耗や変形を防止することができる。
【００２３】
また、内筒２及び外筒３をチタン又はチタン合金で構成することにより、内筒２及び外筒３を良好な絶縁性と強度をもって軽量化することができる。
【００２４】
そして、内筒２と外筒３の螺合を固定する鋼製のロックナット４を設けることにより、螺合した内筒２と外筒３を確実に固定することができる。
【００２５】
以上、本発明のソケット継ぎ手について、その実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明のソケット継ぎ手は、非磁性金属によりソケットから主軸への磁力の伝達を防止するとともに、嵌合部と主軸との隙間をなくし、非磁性金属からなる嵌合部の摩耗や変形を防止するという特性を有することから、例えば、マグネット付きソケットと磁歪式トルクセンサーを備えたトルクレンチとをつなぐソケット継ぎ手として広く好適に用いることができる。
【図面の簡単な説明】
【００２７】
【図１】本発明のソケット継ぎ手の一実施例を示し、（ａ）は使用状態を示す断面図、（ｂ）はソケット継ぎ手の拡大断面図である。
【図２】同ソケット継ぎ手を示し、（ａ）はその断面正面図、（ｂ）は同断面背面図、（ｃ）は内筒を基部側から見た図である。
【符号の説明】
【００２８】
Ａ    ソケット継ぎ手
Ｂ    ソケット
Ｃ    トルクレンチ
Ｃ１  主軸
１    差込角
１１  角柱部
２    内筒
２１  嵌合部
２２  スリット
２３  テーパ
２４  雄ねじ
３    外筒
３１  テーパ
３２  雌ねじ
４    ロックナット
【図１】
2009285803.tif 000003
【図２】
2009285803.tif 000004